(57)【要約】      （修正有）【課題】床面に上端が開口し、本体部分が床部内に埋設又は床を貫通するよう配置されているパイプ部材等の種々異なる内径の開口を閉塞し且つ閉塞した状態で無用に遊動することがなく又周壁を損傷することのない閉塞部材を提供する。【解決手段】ビル等の建屋の床面１に上端が開口し本体部分が床部内に埋設又は床部を貫通するよう配置されているパイプ部材Ｂの開口２を閉塞する、閉塞部材Ａであって、閉塞部材は、上端部に設けられた蓋部１１と、蓋部の下方に設けられた挿入部１２とを有し、蓋部は、開口の内径より大きい外径を有し、挿入部は、その外径寸法が先端方にゆくほど小さくなる部位を有し、当該小さくなる部位の中から開口の内径に合致する外径寸法の部位が選択されて開口内に挿置されるよう構成されていることを特徴とする。【選択図】図１
0003196427.tif 000002
【実用新案登録請求の範囲】
【請求項１】
ビル等の建屋の床面に上端が開口し本体部分が床部内に埋設又は床部を貫通するよう配置されているパイプ部材の開口を閉塞する、閉塞部材であって、
上端部に、前記開口の内径より大きい外径を有する蓋部と、その下方に、外径が前記開口の内径に合致するように操作部材により変化可能になった又は外径寸法が異なる複数の部位の中から前記開口の内径に合致する外径寸法の部位を選択可能になった挿入部とを、有することを特徴とする、閉塞部材。
【請求項２】
前記閉塞部材において、前記挿入部の外径寸法が先端方にゆくほど段階的に小さくなる複数の部位によって当該挿入部が所謂逆階段状に形成されており、その中から前記開口の内径に合致する外径の部位を選択して前記開口内へ挿置するべく選択可能に構成されていることを特徴とする請求項１記載の閉塞部材。
【請求項３】
前記閉塞部材において、前記挿入部の外径が前記開口の内径に合致するように変化可能な構成が、コイルバネ状に巻装されその外径端部が操作部材の操作によって径方向に移動可能になった構成であることを特徴とする請求項１記載の閉塞部材。
【請求項４】
前記閉塞部材において、前記挿入部の外径が前記開口の内径に合致するように変化可能な構成が、前記外径が軸方向に沿って連続的に変化したテーパ状の形態に構成されていることを特徴とする請求項１記載の閉塞部材。
【請求項５】
前記蓋部の表面に、脚立の底部が載置可能な凹部が設けられていることを特徴とする請求項１乃至４のいずれか１の項に記載の閉塞部材。
【考案の詳細な説明】
【技術分野】
【０００１】
この考案は、ビル等の床面に上端が開口し本体部分が床部内に埋設され又は床を貫通するよう配置されているパイプ部材等の、開口を閉塞する、閉塞部材に関する。
【背景技術】
【０００２】
床のコンクリートの打設が完了した時点で、ビル等の床内部には、給排水管，電線，信号線等を配設するためのパイプ部材が埋設又は貫通するよう配設され、かかるパイプ部材の上端は床面に開口している。
前述のようにコンクリートが打設されている床の上方（床面上）に、フロアシート（板状のフロア材を含む広い概念をいう。この明細書および実用新案登録請求の範囲において同じ）が敷設され、次に種々の設備工事や内装工事が施工される。その施工の際、例えば、天井面の形成工事や天井部位への電気工事をおこなう場合には、前記フロアシート上に脚立等を立てて高い位置での工事が施工される。その場合、前記フロアシートの剛性が低い場合には、前記脚立の足が前記フロアシート下方の前記開口上にあって、作業者が脚立の上に乗ると、その重みによって脚立の足がフロアシートを突き破って、前記開口内に入り込んでしまう。その結果、脚立が傾いて作業者が脚立から落下する可能性がある。
また、フロアシートを床面の全面に張り終えた後、前記開口に、洗面台やキッチン等の排水管を接続するような場合には、当該フロアシートの下方に隠れた前記「開口の位置」を専ら図面に基づいてつきとめ、その開口部分のフロアシートを当該開口に合わせて切り取り当該開口をフロアシート上に露呈させる必要がある。かかる場合に、隠れた開口の位置を正確につきとめるのは甚だ困難である。このため、場合によっては、フロアシートの誤った部位を切り取ってしまうこともあり、かかる場合にはその区画のフロアシートを再度張り直す必要があった。
さらに、前記開口位置を見つけて上方のフロアシートを適正に切り取った場合であっても、フロアシート上方に露出したこの開口からコンクリート等の種々の建築ゴミや工具等が開口内部に落下してしまうこともある。
【０００３】
前述のような床面に開口した穴を閉塞するための蓋部材（閉塞部材ともいう）として、例えば、特許文献１等に記載されているようなものが提供されている。
【先行技術文献】
【特許文献】
【０００４】
【特許文献１】特開２００９−７９４６６公報
【考案の概要】
【考案が解決しようとする課題】
【０００５】
しかし、前記特許文献１に記載の「閉塞部材」では、開口の内径が閉塞部材の外径より小さいときには、固定できず、また、逆の場合には、閉塞部材が遊動してしまうという不都合がある。
このような状況に鑑みて、特開２００１−１４１１２１公報、特開２０００−１６０８４５公報に記載するような、前記遊動を防止するための弾性部材を備えた閉塞部材が、提供されている。
しかしながら、これら閉塞部材はその構造に起因して小さな弾性変形範囲でしか径の変化に対応することができなかった。つまり、ビルの設備工事で使用される、より大きな範囲で内径が種々に異なる開口部分には、完全に対応できるものではなかった。換言すると、開口部分の内径毎に異なる閉塞部材を用意しておく必要があった。さらには、閉塞部材を開口に挿入したり引き抜いたりするときには、前記弾性部材が周壁を弾性力で押圧している状態において無理やりおこなうため、前記開口の周壁を損傷してしまうことがある。前記開口が接続される部材との間に高い密着性が要求されるような場合には、前記周壁の損傷によって当該密着性が損なわれることになる。
本考案は、このような状況に鑑みておこなわれたもので、床面に上端が開口し、本体部分が床部内に埋設又は床を貫通するよう配置されているパイプ部材等の種々異なる内径の開口を閉塞し且つ閉塞した状態で無用に遊動することがなく又周壁を損傷することのない閉塞部材を提供することを目的とする。
【課題を解決するための手段】
【０００６】
本考案にかかる閉塞部材は、ビル等の建屋の床面に上端が開口し本体部分が床部内に埋設又は床部を貫通するよう配置されているパイプ部材の開口を閉塞する、閉塞部材であって、
上端部に、前記開口の内径より大きい外径を有する蓋部と、その下方に、外径が前記開口の内径に合致するように操作部材により変化可能になった又は外径寸法が異なる複数の部位の中から前記開口の内径に合致する外径寸法の部位を選択可能になった挿入部とを、有することを特徴とする。
【０００７】
前述のように構成された閉塞部材によれば、前記パイプ部材の開口を上方から覆うように、フロアシートが一面に敷設される場合にも、当該フロアシートを前記開口に合わせてカッターナイフ等で切り取って、当該切り取った部位に本閉塞部材の挿入部を挿置しておけば、開口は上方から蓋部で覆われて、脚立の脚が落ち込むようなことはない。
また、前記閉塞部材の蓋部で前記開口が上方から閉塞されているため、前記開口からコンクリート等の建築ゴミや工具等が開口内に落下するようなことも防止できる。
さらに、前記開口の内径に合わせて、前記挿入部の外径を、操作部材を操作することにより又は合致する外径の部位を選択して、無理なく開口の内径と合致又は略合致させることができる。このため、前記開口内への挿入部の挿入や開口からの引き抜きに際して、当該開口の内周壁を損傷することがない。
【０００８】
また、前記閉塞部材において、前記挿入部の外径寸法が先端方にゆくほど段階的に小さくなる複数の部位によって当該挿入部が所謂逆階段状に形成されており、その中から前記開口の内径に合致する外径の部位を選択して前記開口内へ挿置するべく選択可能に構成されていると、開口の内周壁を損傷することなく、物理的に１つの閉塞部材でもって径の異なるパイプ部材の開口を閉塞することが可能となる。このことは、一般的に、ビルの建築において使用される前記パイプ部材の種類（外径）が特定の複数（一般的には４種類）の内径のものにのみ限定されているため、前記選択的に構成することによって本考案の課題が十分満たされることになる。
【０００９】
また、前記閉塞部材において、前記挿入部の外径が前記開口の内径に合致するように変化可能な構成が、コイルバネ状に巻装されその外径端部が操作部材の操作によって径方向に移動可能になった構成であると、閉塞部材の開口への挿入操作や引き抜き操作時に、前記操作部材を操作して前記外径端部を縮径させた状態でおこなうことによって、開口の周壁を全く損傷させることなく閉塞することができる。そして、かかる構成の場合には、開口の内径が特殊な寸法のもの（例えば、前記４種類以外の内径のもの）であっても、それに合うように挿入部の外径を変化させることが可能となり、前記開口をぴったりと閉塞することが可能となる。
また、無理やり挿入して閉塞しないため内周面を無用に損傷するようなこともない。
【００１０】
また、前記閉塞部材において、前記挿入部の外径が前記開口の内径に合致するように変化可能な構成が、前記外径が軸方向に沿って連続的に変化したテーパ状の形態に構成されていると、軸方向のいずれか前記開口の内径に合致する部位で接触させると、前記開口を閉塞することができる。
【００１１】
また、前記閉塞部材において、前記蓋部の表面に、脚立の底部が載置可能な凹部が設けられていると、脚立の底部が本閉塞部材上に載置される場合にも滑り落ちることを防止できる点で好ましい構成となる。
【考案の効果】
【００１２】
本考案にかかる開口の閉塞部材によると、内径寸法がかなりの幅を有して各異なる複数のパイプ部材のうちのいずれの内径を有するパイプ部材であっても、その開口を挿入部で閉塞し、且つ前記挿入部で閉塞した状態でこの閉塞部材が支障をきたす程に遊動することがなく、また開口の内周壁を前記挿入部で損傷するようなことのない、閉塞部材を提供することができる。
【図面の簡単な説明】
【００１３】
【図１】本考案の１つの実施の形態にかかる閉塞部材の構成を示す図で、（ａ）は閉塞部材の外観の構成を示す斜視図、（ｂ）は破線で示す平面視円形のパイプ部材の開口を閉塞するべく配置された状態での（ａ）に示す閉塞部材を表した斜視図である。
【図２】図１に示すものとは別の実施の形態にかかる閉塞部材の構成を示す図で、（ａ）は閉塞部材をやや斜め上方から見た外観の構成を示す斜視図、（ｂ）は（ａ）に示す構成の閉塞部材を上下ひっくり返した状態で当該閉塞部材を底面側から見た斜視図である。
【図３】床を上下に貫通するよう配設されたパイプ部材に図１に示す構成を備えた閉塞部材を配置して開口を閉塞する一連の工程を示す図で、（ａ）は床面から上端が突出した状態でパイプ部材が床部材を貫通するように配設されている状態を示す縦断面図、（ｂ）はパイプ部材の上端部の突出した部位をカッター等で切断して取り除いた状態を示す縦断面図、（ｃ）は突出物の無い状態の床面上にフロアシートを張った状態を示す縦断面図、（ｄ）は張り終えたフロアシートの開口上方の部位をカッター等で切断して形成した開口を図１に示す閉塞部材で閉塞した状態を示す縦断面図である。
【図４】床を上下に貫通するよう配設された内径が種々異なる各パイプ部材に、図１〜図３とはさらに異なる構成を有する別の実施の形態にかかる閉塞部材を配置して、閉塞した状態を示す図で、（ａ）はやや太径のパイプ部材に挿入部を挿入した状態を一部断面して表した図、（ｂ）は（ａ）よりやや細径のパイプ部材に挿入部を挿入した状態を一部断面して表した図、（ｃ）は（ｂ）よりさらに細径のパイプ部材に挿入部を挿入した状態を一部断面して表した図である。
【考案を実施するための形態】
【００１４】
以下、本考案の実施形態にかかる開口の閉塞部材を、図面を参照しながら具体的に説明する。
【００１５】
図１（ａ），（ｂ）において、Ａは閉塞部材で、この閉塞部材Ａは、その挿入部１２（図１（ａ）参照）が床面１に開口した開口（この実施形態の場合にはパイプ部材Ｂの穴）２に挿置され、その上方の蓋部１１が当該開口２の上方を塞ぐように配置される。
この実施形態にかかる前記閉塞部材Ａは、前述した如く、上端部に形成された前記蓋部１１と、その下方に形成され、外径が前記開口２の内径に略合致する（正確には開口２の内径より少し小さい）ように選択可能な、複数の異なる外径を階段状に有する挿入部１２とを有する。
そして、この実施形態の場合、前記蓋部１１は平面視が円形をしており且つ所定の厚みを備えている。しかし、前記蓋部１１は平面視が円形以外、例えば、図示しないが六角形等の多角形あるいは矩形等であってもよい。
また、前記挿入部１２の各段階状の部分はそれぞれ断面視が円形の形態を有し且つそれぞれ所定の厚みを有する。
また、この実施形態の場合、図１に図示するように、前記蓋部１１は、前記開口２の内径より大きい外径を有する。つまり、前記蓋部１１は前記開口２を上方から覆うことができるように構成されている。
また、この実施形態では、前記蓋部１１が他の作業等に邪魔にならないように当該蓋部１１の外径は、最小に、すなわち、後述する部位ａが合致する内径を有するパイプ部材Ｂの外径に略等しく、構成されている。しかし、前記パイプ部材Ｂの外径より大きく構成されていてもよい。
前記挿入部１２は、外径寸法が下にゆくほど順次小さくなった且つ同心円状に配置された複数の部位（この実施形態では３つの部位）ａ，ｂ，ｃが逆階段状に形成された構成を備えている。そして、使用に際して、前記複数の部位の中から閉塞しようとする開口２の内径に合致する外径の部位（この実施形態では部位ａ）を選択して、当該開口２内へほぼ遊動なく挿置するべく、選択可能に構成されている。ちなみに、この図１に図示する実施形態の場合には、図１（ａ）に図示するように、下端方から３番目（３段目）の部位ａが開口２を閉塞することができるようになっている。
前記挿入部１２は、前記開口２の内周面（周壁ともいう）に接触又は略接触（この実施形態では「略接触」）する接触部位１２ａを備えている。
なお、この実施形態の場合には、前記挿入部１２は、３つの部位ａ，ｂ，ｃから構成されているが、必要に応じて４つの部位、あるいは５つの部位、又はそれ以上の数の部位から構成されていても良いことは、言うまでもない。
【００１６】
この実施形態の場合、前記蓋部１１と挿入部１２とは、一体に形成されており、材質的には金属製のもので構成されているが、樹脂製（発泡性の樹脂を含む）のものあるいは木製のもの、又はその他の材質のもので構成されていてもよい。
ところで、図１，図３（ｄ）に図示するように、前記蓋部１１の表面に、脚立の底部が載置可能な凹部Ｈが設けられている。かかる凹部Ｈに脚立の底部が載置されると、前記閉塞部材Ａ上に脚立が配置された場合にも脚立が当該閉塞部材Ａ上に確実に固定されて、当該脚立が閉塞部材Ａから滑り落ちて不安定になることが防止される。特に、図１，図３（ｄ）に示す如く、前記凹部Ｈの深さが蓋部１１の高さ寸法と略等しく構成されていると、脚立の４本（あるいは３本）の各脚の高さが等しくなることから、より脚立が安定して載置することができる。また、図示しないが、前記凹部Ｈの表面に滑り止め用の部材、例えば、滑り止め用のゴム板を配置すると、凹部Ｈ内の脚立が滑ることを防止できる点で好ましい構成となる。
【００１７】
そして、前記閉塞部材Ａは、以下のように使用され、以下のような作用を奏する。つまり，図３（ａ）に図示するように、床面１から上方に突出しているパイプ部材Ｂの先端（上端）部分を切断工具（例えば、図示しない電動ディスクカッター）により切断する。前記切断が完了した状態で、図３（ｂ）に図示するようにパイプ部材Ｂの上端がその周囲の床面１とほぼ「面一（つらいち）」の状態になる。そして、かかる状態で、床面１上にフロアシートＣを貼着する(図３（ｃ）の状態を参照)。次に、前記パイプ部材Bの上方に位置するフロアシートCをカッターナイフ又はコアドリル等で、少なくとも当該パイプ部材Bの内周面が上方に露出するように切断する。つまり、前記開口２が上方から見えるように切断する。そして、前記開口２に、前記閉塞部材Ａの挿入部１２を挿置する（図３（ｄ））参照。この状態において、前記開口２は前記閉塞部材Ａの蓋部１１で上方から覆われ、この結果、前記開口２内へコンクリート等の建築ゴミやドライバー等の工具等が落下するのを防止することができる。さらには、図示しない脚立の脚等が前記開口２に入り込んで傾き、作業者が脚立から落下することが防止できる。
【００１８】
また、別の実施形態にかかる閉塞部材１００Ａとしては、図２に図示するような構成のものであってもよい。つまり、この実施形態にかかる閉塞部材１００Ａでは、コイルバネ状に巻装されたバンド部材２１のその外径端部２１ｅ（図２（ｂ）参照）が、直径方向（図２の矢印Jの方向参照）に移動可能になった構成によって、挿入部１１２が形成されている。そして、かかる挿入部１１２の外径を前記開口2の内径に合致（又は略合致）させる（正確にはやや小径になる）ことができるように構成されている。前記バンド部材２１の外径端部２１ｅ（図２（ｂ）参照）は、前記直径方向（図２の矢印Jの方向）に移動可能となった円柱状のガイド部材２３によって両側から挟持されている。また、前記バンド部材２１の内径端２１ｇは、回転自在に配置された操作部材２４の芯部２４ａによって両側から挟持され、当該操作部材２４をバンド部材２１の弾性力に抗して回転させることによって、かかるバンド部材２１の外径を縮径及び拡径させることができるように構成されている。
【００１９】
前記バンド部材２１はバネ鋼によって変形可能（この実施形態にかかる場合には巻装された形態のものが曲率半径を大きくあるいは小さく変形可能）に構成されている。しかし、材質的には、前記バネ鋼にかえて弾性力を備えた樹脂製のものやその他のもので構成されていてもよい。
なお、図２において、符号１１１は、この閉塞部材１００Ａの蓋部を表す。
【００２０】
さらに別の実施形態にかかる閉塞部材２００Ａとしては、図４に図示するように、構成されていてもよい。つまり、この閉塞部材２００Ａでは、挿入部２１２が、その外径が軸方向に沿って連続的に変化（下端方にゆくに従って小径に変化）したテーパ状の形態（断頭円錐体）に構成されている。かかる構成によっても、図４各図に図示するように、前記挿入部２１２の軸方向のいずれかの部位（前記開口２の径に合致する部位）で開口２の内周面にその外周面２１２ａを接触させることによって、パイプ部材の開口２を無理なく閉塞することができる。
なお、図４において、符号２１１は、この閉塞部材２００Ａの蓋部を、１は床面を、Ｂはパイプ部材を、Ｃはフロアシートを表す。
【００２１】
なお、前記した実施の形態は、単に例示したものであって本考案の技術的思想を逸脱しない範囲で、種々の形態で実施できることは言うまでもない。
【産業上の利用可能性】
【００２２】
本考案にかかる閉塞部材は、建築分野等において利用することができる。
【符号の説明】
【００２３】
Ａ，１００Ａ，２００Ａ…閉塞部材
Ｂ…パイプ部材
１…床面
２…開口
１１，１１１，２１１…蓋部
１２，１１２，２１２…挿入部
２４…操作部材
【図１】
0003196427.tif 000003
【図２】
0003196427.tif 000004
【図３】
0003196427.tif 000005
【図４】
0003196427.tif 000006
【手続補正書】
【提出日】平成27年1月7日(2015.1.7)
【手続補正１】
【補正対象書類名】実用新案登録請求の範囲
【補正対象項目名】全文
【補正方法】変更
【補正の内容】
【実用新案登録請求の範囲】
【請求項１】
ビル等の建屋の床面に上端が開口し本体部分が床部内に埋設又は床部を貫通するよう配置されているパイプ部材の開口を閉塞する、閉塞部材であって、
前記閉塞部材は、上端部に設けられた蓋部と、前記蓋部の下方に設けられた挿入部とを有し、
前記蓋部は、前記開口の内径より大きい外径を有し、
前記挿入部は、その外径寸法が先端方にゆくほど小さくなる部位を有し、
当該小さくなる部位の中から前記開口の内径に合致する外径寸法の部位が選択されて前記開口内に挿置されるよう構成されていることを特徴とする閉塞部材。
【請求項２】
前記挿入部は、その外径寸法が先端方にゆくほど段階的に小さくなる複数の部位によって当該挿入部が逆階段状に形成されていることを特徴とする請求項１記載の閉塞部材。
【請求項３】
前記挿入部の外径寸法が軸方向に沿って下端にゆくに従って連続的に小さくなったテーパ状の形態によって構成されていることを特徴とする請求項１記載の閉塞部材。
【請求項４】
ビル等の建屋の床面に上端が開口し本体部分が床部内に埋設又は床部を貫通するよう配置されているパイプ部材の開口を閉塞する、閉塞部材であって、
前記閉塞部材は、上端部に設けられた蓋部と、前記蓋部の下方に設けられた挿入部とを有し、
前記蓋部は、前記開口の内径より大きい外径を有し、
前記挿入部は、当該挿入部の一部を構成するコイルバネ状に巻装されたバンド部材を備えるとともに、前記バンド部材の外径端部を直径方向に移動させる操作部材を備え、
前記操作部材の操作により、前記バンド部材の外径端部を前記開口の内径に合致させるよう構成されていることを特徴とする閉塞部材。
【請求項５】
前記蓋部の表面に、脚立の底部が載置可能な凹部が設けられていることを特徴とする請求項１乃至４のいずれか１の項に記載の閉塞部材。
【手続補正２】
【補正対象書類名】明細書
【補正対象項目名】全文
【補正方法】変更
【補正の内容】
【考案の詳細な説明】
【技術分野】
【０００１】
この考案は、ビル等の床面に上端が開口し本体部分が床部内に埋設され又は床を貫通するよう配置されているパイプ部材等の、開口を閉塞する、閉塞部材に関する。
【背景技術】
【０００２】
床のコンクリートの打設が完了した時点で、ビル等の床内部には、給排水管，電線，信号線等を配設するためのパイプ部材が埋設又は貫通するよう配設され、かかるパイプ部材の上端は床面に開口している。
前述のようにコンクリートが打設されている床の上方（床面上）に、フロアシート（板状のフロア材を含む広い概念をいう。この明細書および実用新案登録請求の範囲において同じ）が敷設され、次に種々の設備工事や内装工事が施工される。その施工の際、例えば、天井面の形成工事や天井部位への電気工事をおこなう場合には、前記フロアシート上に脚立等を立てて高い位置での工事が施工される。その場合、前記フロアシートの剛性が低い場合には、前記脚立の足が前記フロアシート下方の前記開口上にあって、作業者が脚立の上に乗ると、その重みによって脚立の足がフロアシートを突き破って、前記開口内に入り込んでしまう。その結果、脚立が傾いて作業者が脚立から落下する可能性がある。
また、フロアシートを床面の全面に張り終えた後、前記開口に、洗面台やキッチン等の排水管を接続するような場合には、当該フロアシートの下方に隠れた前記「開口の位置」を専ら図面に基づいてつきとめ、その開口部分のフロアシートを当該開口に合わせて切り取り当該開口をフロアシート上に露呈させる必要がある。かかる場合に、隠れた開口の位置を正確につきとめるのは甚だ困難である。このため、場合によっては、フロアシートの誤った部位を切り取ってしまうこともあり、かかる場合にはその区画のフロアシートを再度張り直す必要があった。
さらに、前記開口位置を見つけて上方のフロアシートを適正に切り取った場合であっても、フロアシート上方に露出したこの開口からコンクリート等の種々の建築ゴミや工具等が開口内部に落下してしまうこともある。
【０００３】
前述のような床面に開口した穴を閉塞するための蓋部材（閉塞部材ともいう）として、例えば、特許文献１等に記載されているようなものが提供されている。
【先行技術文献】
【特許文献】
【０００４】
【特許文献１】特開２００９−７９４６６公報
【考案の概要】
【考案が解決しようとする課題】
【０００５】
しかし、前記特許文献１に記載の「閉塞部材」では、開口の内径が閉塞部材の外径より小さいときには、固定できず、また、逆の場合には、閉塞部材が遊動してしまうという不都合がある。
このような状況に鑑みて、特開２００１−１４１１２１公報、特開２０００−１６０８４５公報に記載するような、前記遊動を防止するための弾性部材を備えた閉塞部材が、提供されている。
しかしながら、これら閉塞部材はその構造に起因して小さな弾性変形範囲でしか径の変化に対応することができなかった。つまり、ビルの設備工事で使用される、より大きな範囲で内径が種々に異なる開口部分には、完全に対応できるものではなかった。換言すると、開口部分の内径毎に異なる閉塞部材を用意しておく必要があった。さらには、閉塞部材を開口に挿入したり引き抜いたりするときには、前記弾性部材が周壁を弾性力で押圧している状態において無理やりおこなうため、前記開口の周壁を損傷してしまうことがある。前記開口が接続される部材との間に高い密着性が要求されるような場合には、前記周壁の損傷によって当該密着性が損なわれることになる。
本考案は、このような状況に鑑みておこなわれたもので、床面に上端が開口し、本体部分が床部内に埋設又は床を貫通するよう配置されているパイプ部材等の種々異なる内径の開口を閉塞し且つ閉塞した状態で無用に遊動することがなく又周壁を損傷することのない閉塞部材を提供することを目的とする。
【課題を解決するための手段】
【０００６】
本第１の考案にかかる閉塞部材は、ビル等の建屋の床面に上端が開口し本体部分が床部内に埋設又は床部を貫通するよう配置されているパイプ部材の開口を閉塞する、閉塞部材であって、
前記閉塞部材は、上端部に設けられた蓋部と、前記蓋部の下方に設けられた挿入部とを有し、
前記蓋部は、前記開口の内径より大きい外径を有するとともに、
前記挿入部は、その外径寸法が先端方にゆくほど小さくなる部位を有し、
当該小さくなる部位の中から前記開口の内径に合致する外径寸法の部位が選択されて前記開口内に挿置されるよう構成されていることを特徴とする。
本第２の考案にかかる閉塞部材は、ビル等の建屋の床面に上端が開口し本体部分が床部内に埋設又は床部を貫通するよう配置されているパイプ部材の開口を閉塞する、閉塞部材であって、
前記閉塞部材は、上端部に設けられた蓋部と、前記蓋部の下方に設けられた挿入部とを有し、
前記蓋部は、前記開口の内径より大きい外径を有し、
前記挿入部は、当該挿入部の一部を構成するコイルバネ状に巻装されたバンド部材を備えるとともに、前記バンド部材の外径端部を直径方向に移動させる操作部材を備え、
前記操作部材の操作により、前記バンド部材の外径端部を前記開口の内径に合致させるよう構成されていることを特徴とする。
【０００７】
前述のように構成された本第１又は第２の考案にかかる閉塞部材によれば、前記パイプ部材の開口を上方から覆うように、フロアシートが一面に敷設される場合にも、当該フロアシートを前記開口に合わせてカッターナイフ等で切り取って、当該切り取った部位に本閉塞部材の挿入部を挿置しておけば、開口は上方から蓋部で覆われて、脚立の脚が落ち込むようなことはない。
また、前記閉塞部材の蓋部で前記開口が上方から閉塞されているため、前記開口からコンクリート等の建築ゴミや工具等が開口内に落下するようなことも防止できる。
さらに、前記開口の内径に合わせて、前記挿入部の外径を、第１の考案では合致する外径の部位が選択されることにより又第２の考案では操作部材を操作することによりは、無理なく開口の内径と合致又は略合致させることができる。このため、前記開口内への挿入部の挿入や開口からの引き抜きに際して、当該開口の内周壁を損傷することがない。
【０００８】
また、前記第１の考案にかかる閉塞部材において、前記挿入部は、その外径寸法が先端方にゆくほど段階的に小さくなる複数の部位によって当該挿入部が逆階段状に形成されており、その中から前記開口の内径に合致する外径の部位が選択されて前記開口内へ挿置するべく選択可能に構成されていると、開口の内周壁を損傷することなく、物理的に１つの閉塞部材でもって径の異なるパイプ部材の開口を閉塞することが可能となる。このことは、一般的に、ビルの建築において使用される前記パイプ部材の種類（外径）が特定の複数（一般的には４種類）の内径のものにのみ限定されているため、前記選択的に構成することによって本考案の課題が十分満たされることになる。
【０００９】
また、前記第１の考案にかかる閉塞部材において、前記挿入部の外径寸法が軸方向に沿って下端にゆくに従って連続的に小さくなったテーパ状の形態に構成されていると、軸方向のいずれか前記開口の内径に合致する部位で接触させると、前記開口を閉塞することができる。
【００１０】
また、本第２の考案にかかる閉塞部材のように構成されていると、閉塞部材の開口への挿入操作や引き抜き操作時に、前記操作部材を操作して前記バンド部材の外径端部を縮径させた状態でおこなうことによって、開口の周壁を全く損傷させることなく閉塞することができる。そして、かかる構成の場合には、開口の内径が特殊な寸法のもの（例えば、前記４種類以外の内径のもの）であっても、それに合うように挿入部の外径を変化させることが可能となり、前記開口をぴったりと閉塞することが可能となる。
また、無理やり挿入して閉塞しないため内周面を無用に損傷するようなこともない。
【００１１】
また、前記考案（第１の考案又は第２の考案）にかかる閉塞部材において、前記蓋部の表面に、脚立の底部が載置可能な凹部が設けられていると、脚立の底部が本閉塞部材上に載置される場合にも滑り落ちることを防止できる点で好ましい構成となる。
【考案の効果】
【００１２】
本考案にかかる開口の閉塞部材によると、内径寸法がかなりの幅を有して各異なる複数のパイプ部材のうちのいずれの内径を有するパイプ部材であっても、その開口を挿入部で閉塞し、且つ前記挿入部で閉塞した状態でこの閉塞部材が支障をきたす程に遊動することがなく、また開口の内周壁を前記挿入部で損傷するようなことのない、閉塞部材を提供することができる。
【図面の簡単な説明】
【００１３】
【図１】本考案（第１の考案）の１つの実施の形態にかかる閉塞部材の構成を示す図で、（ａ）は閉塞部材の外観の構成を示す斜視図、（ｂ）は破線で示す平面視円形のパイプ部材の開口を閉塞するべく配置された状態での（ａ）に示す閉塞部材を表した斜視図である。
【図２】図１に示すものとは別の実施の形態（第２の考案にかかる１つの実施形態）にかかる閉塞部材の構成を示す図で、（ａ）は閉塞部材をやや斜め上方から見た外観の構成を示す斜視図、（ｂ）は（ａ）に示す構成の閉塞部材を上下ひっくり返した状態で当該閉塞部材を底面側から見た斜視図である。
【図３】床を上下に貫通するよう配設されたパイプ部材に図１に示す構成を備えた閉塞部材を配置して開口を閉塞する一連の工程を示す図で、（ａ）は床面から上端が突出した状態でパイプ部材が床部材を貫通するように配設されている状態を示す縦断面図、（ｂ）はパイプ部材の上端部の突出した部位をカッター等で切断して取り除いた状態を示す縦断面図、（ｃ）は突出物の無い状態の床面上にフロアシートを張った状態を示す縦断面図、（ｄ）は張り終えたフロアシートの開口上方の部位をカッター等で切断して形成した開口を図１に示す閉塞部材で閉塞した状態を示す縦断面図である。
【図４】床を上下に貫通するよう配設された内径が種々異なる各パイプ部材に、図１〜図３とはさらに異なる構成を有する別の実施の形態にかかる閉塞部材を配置して、閉塞した状態を示す図で、（ａ）はやや太径のパイプ部材に挿入部を挿入した状態を一部断面して表した図、（ｂ）は（ａ）よりやや細径のパイプ部材に挿入部を挿入した状態を一部断面して表した図、（ｃ）は（ｂ）よりさらに細径のパイプ部材に挿入部を挿入した状態を一部断面して表した図である。
【考案を実施するための形態】
【００１４】
以下、本第１および第２の考案の実施形態にかかる開口の閉塞部材を、図面を参照しながら具体的に説明する。
【００１５】
図１（ａ），（ｂ）において、Ａは閉塞部材で、この閉塞部材Ａは、その挿入部１２（図１（ａ）参照）が床面１に開口した開口（この実施形態の場合にはパイプ部材Ｂの穴）２に挿置され、その上方の蓋部１１が当該開口２の上方を塞ぐように配置される。
この実施形態（第１の考案にかかる実施形態）にかかる前記閉塞部材Ａは、前述した如く、上端部に形成された前記蓋部１１と、その下方に形成され、外径が前記開口２の内径に略合致する（正確には開口２の内径より少し小さい）ように選択可能な、複数の異なる外径を階段状に有する挿入部１２とを有する。
そして、この実施形態の場合、前記蓋部１１は平面視が円形をしており且つ所定の厚みを備えている。しかし、前記蓋部１１は平面視が円形以外、例えば、図示しないが六角形等の多角形あるいは矩形等であってもよい。
また、前記挿入部１２の各段階状の部分はそれぞれ断面視が円形の形態を有し且つそれぞれ所定の厚みを有する。
また、この実施形態の場合、図１に図示するように、前記蓋部１１は、前記開口２の内径より大きい外径を有する。つまり、前記蓋部１１は前記開口２を上方から覆うことができるように構成されている。
また、この実施形態では、前記蓋部１１が他の作業等に邪魔にならないように当該蓋部１１の外径は、最小に、すなわち、後述する部位ａが合致する内径を有するパイプ部材Ｂの外径に略等しく、構成されている。しかし、前記パイプ部材Ｂの外径より大きく構成されていてもよい。
前記挿入部１２は、外径寸法が下にゆくほど順次小さくなった且つ同心円状に配置された複数の部位（この実施形態では３つの部位）ａ，ｂ，ｃが逆階段状に形成された構成を備えている。そして、使用に際して、前記複数の部位の中から閉塞しようとする開口２の内径に合致する外径の部位（この実施形態では部位ａ）を選択して、当該開口２内へほぼ遊動なく挿置するべく、選択可能に構成されている。ちなみに、この図１に図示する実施形態の場合には、図１（ａ）に図示するように、下端方から３番目（３段目）の部位ａが開口２を閉塞することができるようになっている。
前記挿入部１２は、前記開口２の内周面（周壁ともいう）に接触又は略接触（この実施形態では「略接触」）する接触部位１２ａを備えている。
なお、この実施形態の場合には、前記挿入部１２は、３つの部位ａ，ｂ，ｃから構成されているが、必要に応じて４つの部位、あるいは５つの部位、又はそれ以上の数の部位から構成されていても良いことは、言うまでもない。
【００１６】
この実施形態の場合、前記蓋部１１と挿入部１２とは、一体に形成されており、材質的には金属製のもので構成されているが、樹脂製（発泡性の樹脂を含む）のものあるいは木製のもの、又はその他の材質のもので構成されていてもよい。
ところで、図１，図３（ｄ）に図示するように、前記蓋部１１の表面に、脚立の底部が載置可能な凹部Ｈが設けられている。かかる凹部Ｈに脚立の底部が載置されると、前記閉塞部材Ａ上に脚立が配置された場合にも脚立が当該閉塞部材Ａ上に確実に固定されて、当該脚立が閉塞部材Ａから滑り落ちて不安定になることが防止される。特に、図１，図３（ｄ）に示す如く、前記凹部Ｈの深さが蓋部１１の高さ寸法と略等しく構成されていると、脚立の４本（あるいは３本）の各脚の高さが等しくなることから、より脚立が安定して載置することができる。また、図示しないが、前記凹部Ｈの表面に滑り止め用の部材、例えば、滑り止め用のゴム板を配置すると、凹部Ｈ内の脚立が滑ることを防止できる点で好ましい構成となる。
【００１７】
そして、前記閉塞部材Ａは、以下のように使用され、以下のような作用を奏する。つまり，図３（ａ）に図示するように、床面１から上方に突出しているパイプ部材Ｂの先端（上端）部分を切断工具（例えば、図示しない電動ディスクカッター）により切断する。前記切断が完了した状態で、図３（ｂ）に図示するようにパイプ部材Ｂの上端がその周囲の床面１とほぼ「面一（つらいち）」の状態になる。そして、かかる状態で、床面１上にフロアシートＣを貼着する(図３（ｃ）の状態を参照)。次に、前記パイプ部材Bの上方に位置するフロアシートCをカッターナイフ又はコアドリル等で、少なくとも当該パイプ部材Bの内周面が上方に露出するように切断する。つまり、前記開口２が上方から見えるように切断する。そして、前記開口２に、前記閉塞部材Ａの挿入部１２を挿置する（図３（ｄ））参照。この状態において、前記開口２は前記閉塞部材Ａの蓋部１１で上方から覆われ、この結果、前記開口２内へコンクリート等の建築ゴミやドライバー等の工具等が落下するのを防止することができる。さらには、図示しない脚立の脚等が前記開口２に入り込んで傾き、作業者が脚立から落下することが防止できる。
【００１８】
また、別の実施形態（第２の考案の実施形態）にかかる閉塞部材１００Ａとしては、図２に図示するような構成のものであってもよい。つまり、この実施形態にかかる閉塞部材１００Ａでは、コイルバネ状に巻装されたバンド部材２１のその外径端部２１ｅ（図２（ｂ）参照）が、直径方向（図２の矢印Jの方向参照）に移動可能になった構成によって、挿入部１１２が形成されている。そして、かかる挿入部１１２の外径を前記開口2の内径に合致（又は略合致）させる（正確にはやや小径になる）ことができるように構成されている。前記バンド部材２１の外径端部２１ｅ（図２（ｂ）参照）は、前記直径方向（図２の矢印Jの方向）に移動可能となった円柱状のガイド部材２３によって両側から挟持されている。また、前記バンド部材２１の内径端２１ｇは、回転自在に配置された操作部材２４の芯部２４ａによって両側から挟持され、当該操作部材２４をバンド部材２１の弾性力に抗して回転させることによって、かかるバンド部材２１の外径を縮径及び拡径させることができるように構成されている。
【００１９】
前記バンド部材２１はバネ鋼によって変形可能（この実施形態にかかる場合には巻装された形態のものが曲率半径を大きくあるいは小さく変形可能）に構成されている。しかし、材質的には、前記バネ鋼にかえて弾性力を備えた樹脂製のものやその他のもので構成されていてもよい。
なお、図２において、符号１１１は、この閉塞部材１００Ａの蓋部を表す。
【００２０】
さらに別の実施形態（第１の考案の別の実施形態）にかかる閉塞部材２００Ａとしては、図４に図示するように、構成されていてもよい。つまり、この閉塞部材２００Ａでは、挿入部２１２が、その外径が軸方向に沿って連続的に変化（下端方にゆくに従って小径に変化）したテーパ状の形態（断頭円錐体）に構成されている。かかる構成によっても、図４各図に図示するように、前記挿入部２１２の軸方向のいずれかの部位（前記開口２の径に合致する部位）で開口２の内周面にその外周面２１２ａを接触させることによって、パイプ部材の開口２を無理なく閉塞することができる。
なお、図４において、符号２１１は、この閉塞部材２００Ａの蓋部を、１は床面を、Ｂはパイプ部材を、Ｃはフロアシートを表す。
【００２１】
なお、前記した実施の形態は、単に例示したものであって本考案の技術的思想を逸脱しない範囲で、種々の形態で実施できることは言うまでもない。
【産業上の利用可能性】
【００２２】
本考案にかかる閉塞部材は、建築分野等において利用することができる。
【符号の説明】
【００２３】
Ａ，１００Ａ，２００Ａ…閉塞部材
Ｂ…パイプ部材
１…床面
２…開口
１１，１１１，２１１…蓋部
１２，１１２，２１２…挿入部
２４…操作部材